(57)【特許請求の範囲】
【請求項１】
被貼着材を備える二つのＡＣＦテープ同士を接続する装置であって、
使用中のＡＣＦテープの終端部を保持する第１保持手段と、
使用中の前記ＡＣＦテープを前記第１保持手段よりもリール側で切断する第１切断部と、
追加用のＡＣＦテープの始端部を保持する第２保持手段と、
使用中の前記ＡＣＦテープの終端部と追加用の前記ＡＣＦテープの始端部との間で厚さ方向に重なるように配置する配置手段と、
重ねられたＡＣＦテープ同士を厚さ方向に押圧する押圧手段と、
追加用の前記ＡＣＦテープを前記押圧手段と前記第２保持手段との間で切断する第二切断部と
を備えることを特徴とするＡＣＦテープの接続装置。
【請求項２】
前記押圧手段は、追加用のＡＣＦテープに対し使用中のＡＣＦテープを近づけて押圧する請求項１に記載のＡＣＦテープの接続装置。
【請求項３】
さらに、
前記押圧されたＡＣＦテープを超音波により接続する超音波接続手段を備える請求項１または請求項２に記載のＡＣＦテープの接続装置。
【請求項４】
さらに、
前記押圧されたＡＣＦテープを加熱により接続する熱圧着手段を備える請求項１または請求項２に記載のＡＣＦテープの接続装置。
【請求項５】
請求項１または請求項２に記載の接続装置に供されるＡＣＦテープであって、
前記ＡＣＦテープに設けられる被貼着材とは異なる接着剤が前記ＡＣＦテープの端部に設けられたＡＣＦテープ。
【請求項６】
被貼着材を備える二つのＡＣＦテープ同士を接続する方法であって、
使用中のＡＣＦテープの終端部を第１保持手段により保持し、
使用中の前記ＡＣＦテープを前記第１保持手段よりもリール側で第１切断部により切断し、
追加用のＡＣＦテープの始端部を第２保持手段により保持し、
使用中の前記ＡＣＦテープの終端部と追加用の前記ＡＣＦテープの始端部との間で厚さ方向に重なるように配置手段により配置し、
重ねられたＡＣＦテープ同士を押圧手段により厚さ方向に押圧し、
追加用の前記ＡＣＦテープを前記押圧手段と前記第２保持手段との間で第二切断部により切断する
ことを特徴とするＡＣＦテープの接続方法。
【発明の詳細な説明】
【技術分野】
【０００１】
本発明は、ＡＣＦテープなどの貼着テープの接続装置に関する。
【背景技術】
【０００２】
液晶ディスプレイやプラズマディスプレイに用いられるガラスパネルの端子部分に、画像形成用の電子部品を取り付けて導通を確保するために、ガラスパネルの端子部分にＡＣＦ(Anisotropic Conductive Film:異方導電性フィルム)を貼り付け、貼り付けられたＡＣＦに電子部品を実装することが行われている。
【０００３】
このＡＣＦは、長尺のベーステープと呼ばれる樹脂製のテープの一面にＡＣＦが設けられた、ＡＣＦテープとして供給されている。そして、前記ＡＣＦテープは、当該ＡＣＦテープごとガラスパネルに押し付けられ、ベーステープだけがはがし取られることで、ＡＣＦをガラスパネルに貼り付けることができるようになっている。
【０００４】
このＡＣＦのガラスパネルへの貼り付けは、工業的にはＡＣＦ貼着装置により自動的に行われており、ＡＣＦを供給するためのＡＣＦテープは、リールに巻き付けられた状態でＡＣＦ貼着装置に供給されている。
【０００５】
ところで、昨今のディスプレイの大型化に伴い、一枚のガラスパネルに必要なＡＣＦの長さが増加している。従って、リールに巻き付けられた長尺のＡＣＦテープであっても、短期間で使用し尽くされてしまい、リールの交換頻度が増加する傾向にある。
【０００６】
従来、リールを交換する際には、ＡＣＦ貼着装置の稼働を停止させてＡＣＦテープ用のリールを交換した後、ＡＣＦテープを人手によりリールから引き出し、ＡＣＦ貼着装置に存在するテープを通過させるための複雑な経路を引き回してＡＣＦテープをセッティングしている。
【０００７】
しかし、前記方法では、ＡＣＦテープのセッティングに相当の時間を要するため、使用済のＡＣＦテープに追加用のＡＣＦテープを図１４に示すように継ぎ足して、１リール当たりの巻き数を増やした上で使用する方法が提案されている（例えば特許文献１）。この方法によれば、既にテープ経路が確立している使用済のＡＣＦテープに追加用のテープが継ぎ足されるため、使用済ＡＣＦテープを引き出すに従い、追加用ＡＣＦテープがテープ経路を通過する。従って、ＡＣＦテープを新たにテープ経路に従って引き回す必要は無くなると考えられる。
【特許文献１】特開２００４−２０２７３８号公報
【発明の開示】
【発明が解決しようとする課題】
【０００８】
ところが、特許文献１ではＡＣＦテープを継ぎ足す方法が記載されているが、どのような装置によって継ぎ足すかの具体的な記載は見あたらない。
【０００９】
さらに、ＡＣＦテープは、幅が１ｍｍ〜２ｍｍ程度、厚みは５０μｍ程度しかなく、いわゆるぺらぺらの状態であるため、仮に人手によってこれらを接続する作業は困難を極め、非常に長時間を要することとなる。
【００１０】
加えて、前述のようなＡＣＦテープをつきあわせ状態で接続する場合、ＡＣＦテープ同士の幅方向のずれが非常に発生しやすく、また、継ぎ足されたＡＣＦテープの直線性を維持することも非常に困難となる。
【００１１】
本発明は上記問題点を解決するためになされたものであり、貼着テープ同士を接続する際の幅方向のずれなどをできる限り抑制し、また、直線性を維持しつつ、機械的に貼着テープ同士を接続し貼着テープの追加などの作業に供することができる貼着テープの接続装置の提供を目的とする。
【課題を解決するための手段】
【００１２】
上記目的を達成するために、本発明に係る接続装置は、被貼着材を備える二つの貼着テープ同士を接続する装置であって、一方の貼着テープの端部を保持する第１保持手段と、他方の貼着テープの端部を保持する第２保持手段と、前記貼着テープの端部同士を厚さ方向に重なるように配置する配置手段と、重ねられた貼着テープの端部同士を厚さ方向に押圧する押圧手段とを備えることを特徴とする。
【００１３】
前記押圧手段は、他方の貼着テープに対し一方の貼着テープを近づけて押圧することが好ましい。
【００１４】
さらに、前記貼着テープの端部を切断する切断手段を備えてもよい。
さらに、前記押圧された貼着テープを超音波により接続する超音波接続手段を備えてもよい。
【００１５】
また、前記押圧された貼着テープを加熱により接続する熱圧着手段を備えてもよい。
上記構成の接続装置によれば、幅方向のずれなどをできる限り抑制し、また、直線性を維持しつつ、貼着テープ同士を容易かつ正確に接続することが可能となる。
【００１６】
一方、前記接続装置に供される貼着テープであって、前記貼着テープに設けられる被貼着材とは異なる接着剤が端部に設けられた貼着テープを採用すれば、前記接続装置を加熱装置や超音波振動装置を使用することなく簡易な状態で使用することができる。
【００１７】
また、貼着テープの端部に粘着テープを設ける装置であって、貼着テープの端部の２箇所をそれぞれ保持する二つの保持手段と、保持された貼着テープを前記保持手段の間で切断する切断手段と、前記切断された貼着テープを所定の間隔引き離す移動手段と、引き離された貼着テープの間を片面に接着剤を備えた粘着テープで架橋状に接続する接続手段とを備えた接着剤設置装置を採用すれば、汎用的な貼着テープから前記貼着テープを簡便に製造することが可能となる。
【００１８】
また、当該接続装置を用いることで他の部材に当該貼着テープを貼り付けるような設備を使用する場合、当該設備の稼働中に設備外で段取りするいわゆる外段取りが可能となる。
【００１９】
一方上記目的を達成するために、本発明に係る接続方法は、被貼着材を備える二つの貼着テープ同士を接続する方法であって、一方の貼着テープの端部を保持し、他方の貼着テープの端部を保持し、前記貼着テープの端部同士を厚さ方向に重なるように配置し、重ねられた貼着テープの端部同士を厚さ方向に押圧する。
【００２０】
この方法を採用することにより、上記と同様の作用、効果を得ることが可能である。
【発明の効果】
【００２１】
本発明によれば、細くて薄い貼着テープ同士であっても、容易かつ正確に接続することが可能となる。
【発明を実施するための最良の形態】
【００２２】
次に、本発明に係る接続装置１１０の実施形態を説明する。
まず、本実施形態で接続される貼着テープの一つであるＡＣＦテープ２１０を説明する。
【００２３】
図１（ａ）は、ＡＣＦテープ２１０の端部を拡大して示す側面図であり、（ｂ）はさらに拡大して示す側面図である。
【００２４】
同図（ａ）に示すように、ＡＣＦテープ２１０は、ベーステープ２１１と、ベーステープ２１１の１面に設けられたＡＣＦ２１２(Anisotropic Conductive Film:異方導電性フ
ィルム)とを備えている。
【００２５】
また、ＡＣＦテープ２１０の端部にはＡＣＦ２１２が存在しないベーステープ２１１だけの部分が存在している。
【００２６】
ベーステープ２１１は、幅が１ｍｍ〜２ｍｍ程度、厚みは数十ミクロン程度の長尺のテープである。また、ベーステープ２１１は未使用時にはＡＣＦ２１２を保持する必要があり、ＡＣＦ２１２を貼着する際にはベーステープ２１１からＡＣＦ２１２を剥離する必要があるため、その素材としては、延伸ポリプロピレンやポリテトラフルオロエチレン、ポリエチレンテレフタレートなどが採用される。
【００２７】
ＡＣＦ２１２は、フィルム状の絶縁樹脂材料の中に微細な導電性粒子を分散させた素材であり、圧力と温度を加えることにより、接着と同時に電極間にはさまれた導電粒子を介して圧力が加えられる方向には電気的接続が実現され、それ以外の方向には絶縁の状態を維持することのできる機能を持つフィルムである。
【００２８】
同図（ｂ）に示すように、ＡＣＦテープ２１０の始端部は、ベーステープ２１１が長さ方向に分離され、分離された部分が粘着テープ２１３により架橋状に接続された部分が存在している。
【００２９】
この粘着テープ２１３は、ベーステープ２１１を接続できる粘着力を備えた接着剤を片面に備えたテープであり、ベーステープ２１１と同様以下の幅を有している。
【００３０】
以上のように、ベーステープ２１１の端部の中間に粘着テープ２１３を配置すれば、ＡＣＦテープ２１０の最端部に粘着力のないベーステープ２１１の部分が存在することとなるため、ＡＣＦテープ２１０の端部の保持などが容易に行うことができる。
【００３１】
次に、前記粘着テープ２１３をベーステープ２１１の端部に取り付けるための接着剤設置装置としての治具３００について説明する。
【００３２】
図２は、本実施形態に係る治具３００及びその動作を簡易的に示す側面図である。
同図に示すように、治具３００は、ベーステープ２１１を保持する二つのテープ保持具３０１と、当該テープ保持具３０１を所定間隔引き離し、また、当接させることのできる移動具３０７と、ベーステープ２１１を切断する切断手段としての第１カッターと、粘着テープ２１３を切断する二つの第２カッターと、粘着テープ２１３を所定位置に配置する粘着テープ配置具３０４と、粘着テープ２１３をベーステープ２１１に押し付ける押し付け具３０５とを備えている。
【００３３】
テープ保持具３０１は、ベーステープ２１１の一面のみで保持する必要がある。粘着テープ２１３を他の面から押し付ける必要があるからである。本実施形態の場合、テープ保持具３０１は、上面に真空吸着用の吸着口（図示せず）を備えるとともに、前記吸着口と真空系とを接続する経路を備えている。
【００３４】
なお、テープ保持具３０１は、真空吸着による保持ばかりでなく、ベーステープ２１１を固定可能であれば他の方法で保持してもかまわない。
【００３５】
また、二つのテープ保持具３０１は、ベーステープ２１１をそれぞれ保持した状態で、ＡＣＦテープ２１０の長さ方向に沿って所定間隔離れることができるようになっている。
【００３６】
第１カッター３０２は、押し付け具３０５の略中央部に刃部を下向きにして取り付けられている。この第１カッター３０２は、テープ保持具３０１の一つとの間でベーステープ２１１を挟み込むことでベーステープ２１１を切断することができるものである。
【００３７】
第２カッター３０３は、押し付け具３０５の両端にそれぞれ刃部を下向きにして取り付けられている。この第２カッター３０３は、粘着テープ配置具３０４から粘着テープ２１３を分離するために、粘着テープ配置具３０４との間で粘着テープ２１３を挟み込むことで粘着テープ２１３を切断するものである。
【００３８】
粘着テープ配置具３０４は、粘着テープ２１３を所定の位置に配置するものであり、押し付け具３０５の押し付け方向に対して垂直に出没自在となされるとともに、押し付け具３０５に伴って押し付け方向に移動可能となっている。
【００３９】
押し付け具３０５は、テープ保持具３０１に対して接離自在となされており、第１カッター３０２、第２カッター３０３に対して切断力を付与し、所定位置に配置された粘着テープ２１３をベーステープ２１１に押し付けて貼り付けることができるものである。
【００４０】
次に、治具３００による粘着テープ２１３の貼り付け方法を説明する。
図２（ａ）に示すように、接触状態で配置される二つのテープ保持具３０１に対し、前記テープ保持具３０１が並ぶ方向とＡＣＦテープ２１０の長さ方向が一致するように、ＡＣＦテープ２１０の端部にあるベーステープ２１１のみの部分を二つのテープ保持具３０１に配置する。そして、テープ保持具３０１に真空吸着によりベーステープ２１１を保持させる。
【００４１】
次に、図２（ｂ）に示すように、押し付け具３０５をテープ保持具３０１に押し付け、第１カッター３０２によりベーステープ２１１を切断する。押し付け具３０５の両端にはテープ保持具３０１方向に突出した突出部が備えられており、前記ベーステープ２１１を切断する際に、当該突出部がベーステープ２１１を押し下げることで第２カッター３０３からベーステープ２１１を保護している。
【００４２】
次に、図２（ｃ）に示すように、押し付け具３０５を元の位置に戻す。
次に、図２（ｄ）に示すように、テープ保持具３０１を移動具３０７を用いてＡＣＦテープ２１０の長さ方向に所定間隔広げる。切断されたベーステープ２１１はそれぞれのテープ保持具３０１に保持されているため、テープ保持具３０１を広げることによりベーステープ２１１が分離される。また、これと同時または前後して、粘着テープ配置具３０４を突出させる。
【００４３】
次に、図２（ｅ）に示すように、第３カッター３０６をスライドさせ、ベーステープ２１１の幅に合致するように粘着テープ２１３を長さ方向に切断する。
【００４４】
次に、図２（ｆ）に示すように、粘着テープ配置具３０４とともに押し付け具３０５をテープ保持具３０１に対して押し付ける。これにより、粘着テープ２１３が分離されたベーステープ２１１を接続するように架橋状に貼り付けられる。また、この押し付け工程において、第２カッター３０３により粘着テープ２１３が切断される。
【００４５】
次に、図２（ｇ）に示すように、押し付け具３０５と粘着テープ配置具３０４とがテープ保持具３０１から離れ、粘着テープ２１３の貼り付けが終了する。
【００４６】
以上の治具３００、及び、方法を採用すれば、非常に薄く細いＡＣＦテープ２１０の端部の途中に粘着テープ２１３を容易かつ正確に貼り付けることができ、汎用的なＡＣＦテープ２１０であっても、汎用的な粘着テープ２１３を用い、以下に説明する接続装置１１０に供することができる。
【００４７】
図３〜図９は、ＡＣＦテープ２１０により供給されるＡＣＦ２１２をガラス板２００に貼着する貼着装置１００に組み込まれた状態の接続装置１１０を示す斜視図である。
【００４８】
同図に示すように、接続装置１１０は、貼着装置１００で使用中のＡＣＦテープ２１０の終端部と追加用のＡＣＦテープ２１０の始端部とを接続する装置である。
【００４９】
同図に示すように、本実施形態に係る接続装置１１０は、第１保持部１１１と、第１切断部１１３と、第２保持部１１４と、第２切断部１１８と、配置部１１５と、押圧部１１６とを備えている。
【００５０】
第１保持部１１１は、使用終了間際となったＡＣＦテープ２１０の終端を挟んで保持するものであり、二つの挟持部１１２を備えている。
【００５１】
また、前記二つの挟持部１１２は、ＡＣＦテープ２１０の厚さ方向の表裏にそれぞれ配置されるように突出可能であり、また、ＡＣＦテープ２１０を挟持しない場合には没入することができるようになっている。
【００５２】
また、本実施形態の場合、二つの挟持部１１２先端近傍の相対向する面にはそれぞれ円盤状の弾性体１１９が設けられており、当該弾性体１１９でＡＣＦテープ２１０を挟持することにより、ずれることなく強固にＡＣＦテープ２１０を挟持することが可能となる。
【００５３】
なお、前記弾性体１１９の有無や形状などは任意に選択することが可能である。
第１切断部１１３は、前記弾性体１１９の上部に設けられている。そして、挟持部１１２がＡＣＦテープ２１０を挟持すると同時に、挟持部１１２の挟持力を利用してＡＣＦテープ２１０を切断することができるものとなされている。具体的には、挟持部１１２の一方に刃物が取り付けられ、他方には当該刃物を受ける板状の部材が取り付けられている。そして、ＡＣＦテープ２１０を挟持するための力を利用して、弾性体１１９よりリール側のＡＣＦテープ２１０を切断することができるものとなっている。
【００５４】
第２保持部１１４は、後述の保持プレート１３１に設けられ、保持プレート１３１に軸支されたリール２１４に保持される追加用のＡＣＦテープ２１０の始端を挟んで保持するものである。
【００５５】
第２保持部１１４の保持構造は、保持ベース１２１に対して突出方向に付勢されたシリンダ１２２と保持プレート１３１に固定された保持ベース１２１との間でＡＣＦテープ２１０を挟持するようになっている。
押圧部１１６は、後述の配置部１１５により重ねられたＡＣＦテープ２１０の端部同士を厚さ方向に押圧するものであり、二つの押圧体１１７を備えている。この押圧体１１７の先端には相互に嵌合する凹部１２３と凸部１２４が備えられている。そして、凹部１２３の底面と凸部１２４の先端面との間に重ねられたＡＣＦテープ２１０が挟み込まれ、圧力が加えられる。
【００５６】
本実施形態の場合、ＡＣＦテープ２１０の始端部には粘着テープ２１３が設けられており、前記圧力が加えられるだけでＡＣＦテープ２１０同士の接続を行うことができる。
【００５７】
また、ＡＣＦテープ２１０の幅に相当し、ＡＣＦテープ２１０を挿通することのできるスリット１２５が、それぞれの押圧体１１７の先端に、２箇所ずつ設けられている。前記スリット１２５は、ＡＣＦテープ２１０同士を押圧する際に、ＡＣＦテープ２１０をガイドして、ＡＣＦテープ２１０の幅方向の位置を正確に合致させるために設けられている。
【００５８】
第２切断部は、追加用ＡＣＦテープ２１０側の前記押圧体１１７の下部に設けられた刃部と、追加用ＡＣＦテープ２１０の裏側に配置される受板とで構成されており、押圧部１１６でＡＣＦテープ２１０同士を押圧すると同時に、前記刃部と受け板との間で追加用ＡＣＦテープ２１０の第２保持部１１４側を切断するものである。
【００５９】
図１０は、配置部１１５のみ（プレート固定部１３７を除く）を抜き出して示す斜視図である。
【００６０】
配置部１１５は、第１保持部１１１と第２保持部１１４とに保持される二つのＡＣＦテープ２１０の端部同士を厚さ方向に重ねるものであり、同図に示すように、保持プレート１３１と、保持プレート１３１を保持するマガジン１３５と、マガジン移動部１３６と、プレート固定部１３７（図１０では図示せず）とを備えている。
【００６１】
図１１は、保持プレート１３１と、当該保持プレート１３１にリール２１４が軸支され、リール２１４から引き出されたＡＣＦテープ２１０の始端が第２保持部１１４に保持されている状態を示す平面図である。
【００６２】
同図に示す保持プレート１３１は、略Ｔ字形状となされ、その下部には前記第２保持部１１４が取り付けられている。さらに、保持プレート１３１は、軸支部１３２と、係止部１３３と、二つのローラ１３４とを備えている。
【００６３】
軸支部１３２は、保持プレート１３１上で前記リール２１４を回転可能に軸支する構造を備えている。
【００６４】
係止部１３３は、リール２１４の外周縁に対し接離するように摺動可能に保持プレート１３１上に取り付けられている。そして、前記リール２１４の周縁から離れることで前記リール２１４の回転を可能とし、一方、前記リール２１４の周縁と接触することでリール２１４の回転を不可能とすることができるようになっている。
【００６５】
なお、係止部１３３はリール２１４の外周に当接してリールの回転を止めるばかりでなく、保持プレート１３１以外の場所に設置され、リール２１４の軸支部１３２とベルトなどを介して接続され、軸部分でリール２１４の回転を止めても良い。
【００６６】
ローラ１３４は、リール２１４から引き出されたＡＣＦテープ２１０の軌道を規定するものであり、保持プレート１３１に対し回転可能に軸支されている。
以上の構成により、リール２１４から引き出されたＡＣＦテープ２１０の始端部は、最端部が第２保持部１１４により保持プレート１３１に固定され、リール２１４は係止部１３３により回転が規制されることができるため、任意に設定する適正な張力がかかった状態で、かつ、二つのローラ１３４間で張った状態で保持される。
【００６７】
マガジン１３５は、前記ＡＣＦテープ２１０とリール２１４とが取り付けられた保持プレート１３１を５枚保持する枠体であり、保持プレート１３１を平行かつ等間隔に保持することができる。
【００６８】
マガジン移動部１３６は、ボールねじによってマガジン１３５を保持プレート１３１の厚さ方向に平行に移動させることができる機構を備えている。また、エンコーダによるフィードバック制御によりマガジン１３５の位置を所定の制度で制御することが可能である。
【００６９】
プレート固定部１３７（図３〜図９参照）は、保持プレート１３１を挟み込んで固定するものであり、マガジン１３５が移動するとき以外は、保持プレート１３１の下部を挟み込んで保持部レートを固定する。また、マガジン１３５が移動するときは、プレート固定部１３７が移動して前記固定を解除することができるものとなっている。
【００７０】
以上の配置部１１５は、次のようにしてＡＣＦテープ２１０の端部同士を厚さ方向に重ねる。
【００７１】
すなわち、マガジン移動部１３６によりマガジン１３５が移動し、保持プレート１３１に保持されるＡＣＦテープ２１０が第１保持部１１１に保持されるＡＣＦテープ２１０と重なり合う位置にセットされる。さらに、プレート固定部１３７が保持プレート１３１を固定して正確に位置決めする。
【００７２】
以上によりＡＣＦテープ２１０の端部同士を厚さ方向に所定間隔を隔てた状態で正確に重ねることが可能となる。
【００７３】
次に、上記構成の接続装置におけるＡＣＦテープ２１０の接続工程を説明する。
まず、図３〜図５に示すように、第１保持部１１１が突出し、使用中のＡＣＦテープ２１０の端部を挟み込んで保持するとともに、第１切断部がＡＣＦテープ２１０のリール２１４寄りの部分を切断する。
【００７４】
次に、図６に示すように、プレート固定部１３７が移動して、保持プレート１３１の固定を解除した後、マガジン移動部１３６が作動して次の保持プレート１３１を所定位置にセットする。そして、プレート固定部１３７が再び移動して新たな保持プレート１３１を固定する。
【００７５】
以上の工程により、使用中のＡＣＦテープ２１０の終端部と追加用のＡＣＦテープ２１０の端部同士を厚さ方向に所定間隔を隔てた状態で正確に重ねることができる。
【００７６】
次に、図７に示すように、追加用のＡＣＦテープ２１０側にある押圧体１１７が移動して追加用のＡＣＦテープ２１０に当接するとともに、反対側の押圧体１１７は、使用中のＡＣＦテープ２１０を引っ張りながら追加用のＡＣＦテープ２１０に押し当てて押圧し、ＡＣＦテープ２１０同士を接続する。
【００７７】
なお、図７、図８において使用中のＡＣＦテープ２１０がとぎれた状態で記載されているが、これは作図上の問題であり、実際には、切断されたＡＣＦテープ２１０の端部は二つの挟持部１１２により挟持されている。
【００７８】
この工程において使用中のＡＣＦテープ２１０は引っ張られることになるが図示しないダンサローラにより適正な張力が維持される。一方、第２保持部１１４と係止されたリール２１４とで張った状態で保持されるＡＣＦテープ２１０は引っ張られないため、幅方向のずれを抑制しつつＡＣＦテープ２１０を接続することが可能となる。
【００７９】
また、図８に示すように、第２切断部により追加用のＡＣＦテープ２１０の第２保持部１１４側が切断される。
【００８０】
最後に、第１保持部１１１と押圧部１１６とが開いてＡＣＦテープ２１０が開放される。
【００８１】
以上の接続装置及び接続方法により、図１２に示すように、細くて薄いＡＣＦテープ２１０の端部同士を幅方向のずれをできる限り抑止しつつ正確に接続することが可能となる。
【００８２】
なお、本実施形態ではＡＣＦテープ２１０は、端部に接続用の粘着テープ２１３を架橋状に備えているが、本発明はこれに限定されるわけではなく、図１３（ａ）に示すように、ＡＣＦテープ２１０の端部のＡＣＦ２１２とは反対の面に、両面に粘着力を備えた両面テープ２２３を備えてもよく、また、図１３（ｂ）に示すように、ＡＣＦテープ２１０の端部自体に接着剤２３３を備えていてもよい。
【００８３】
例えば、ＡＣＦテープ２１０の先端に両面テープ２２３を設けるには治具３００を用いればよい。移動具３０７は不要となり、テープ保持具３０１を移動させる必要がなくなる。つまり、図２（ｂ）においてベーステープ２１１を切断しない。図２（ｄ）の工程は不要。図２（ｅ）、図２（ｆ）、図２（ｇ）において、粘着テープ２１３の代わりに両面テープ２２３とする。以上とすれば、ＡＣＦテープ２１０の先端に両面テープ２２３を取り付けることが可能となる。なお、両面テープ２２３をＡＣＦテープ２１０に取り付ける際、両面テープ２２３のＡＣＦテープ２１０とは反対面には両面テープ２２３と着脱容易な保護フィルム（図示せず）を設けるのがよい。これにより、押し付け具３０５と両面テープ２２３とが接着することがないため、両面テープ２２３をＡＣＦテープ２１０に取り付ける作業を容易化することが可能となる。
【００８４】
また、第２保持部１１４からＡＣＦテープ２１０を開放するためにＡＣＦテープ２１０を切断したが、第２保持部１１４のＡＣＦテープ２１０の保持を終了させて開放させてもかまわない。
【００８５】
また、粘着力を用いてＡＣＦテープ２１０を接続する場合は、押圧部１１６による押圧のみで接続が完了するが、本発明はこれに限定されるわけではない。例えば、押圧体１１７の先端に超音波振動子や加熱部を設け、ＡＣＦテープ２１０の端部同士を超音波接合により接続したり、熱圧着で接続してもかまわない。
【００８６】
本実施形態では貼着テープとしてＡＣＦテープ２１０を例示したが、貼着テープはこれに限定されるわけではなく、例えば、ＮＣＦ(Non Conductive Film:非導電性フィルム)等を備えたテープであってもかまわない。
【産業上の利用可能性】
【００８７】
本発明は、ＡＣＦテープなどの貼着テープを継ぎ足す際に用いられる接続装置に適用できる。
【図面の簡単な説明】
【００８８】
【図１】（ａ）は、ＡＣＦテープの端部を拡大して示す側面図であり、（ｂ）はさらに拡大して示す側面図である。
【図２】本実施形態に係る治具及びその動作を簡易的に示す側面図である。
【図３】接続部及び供給部を拡大して示す斜視図である。
【図４】接続部及び供給部を拡大して示す斜視図である。
【図５】接続部及び供給部を拡大して示す斜視図である。
【図６】接続部及び供給部を拡大して示す斜視図である。
【図７】接続部及び供給部を拡大して示す斜視図である。
【図８】接続部及び供給部を拡大して示す斜視図である。
【図９】接続部及び供給部を拡大して示す斜視図である。
【図１０】配置部のみ（プレート固定部を除く）を抜き出して示す斜視図である。
【図１１】保持プレートと、当該保持プレートにリールが軸支され、リールから引き出されたＡＣＦテープの始端が第２保持部に保持されている状態を示す平面図である。
【図１２】接続された状態のＡＣＦテープを示す側面図である。
【図１３】（ａ）は、別態様のＡＣＦテープの端部を拡大して示す側面図であり、（ｂ）はさらに別態様のＡＣＦテープの端部を示す側面図である。
【図１４】ＡＣＦテープの接続態様の一例を示す斜視図である。
【符号の説明】
【００８９】
１１０ 接続装置
１１１ 第１保持部
１１２ 挟持部
１１３ 第１切断部
１１４ 第２保持部
１１５ 配置部
１１６ 押圧部
１１７ 押圧体
１１８ 第２切断部
１１９ 弾性体
１２１ 保持ベース
１２２ シリンダ
１２３ 凹部
１２４ 凸部
１２５ スリット
１３０ 供給部
１３１ 保持プレート
１３２ 軸支部
１３３ 係止部
１３４ ローラ
１３５ マガジン
１３６ マガジン移動部
１３７ プレート固定部
２１０ ＡＣＦテープ
２１１ ベーステープ
２１２ ＡＣＦ
２１３ 粘着テープ
２１４ リール
３００ 治具
３０１ テープ保持具
３０２ 第１カッター
３０３ 第２カッター
３０４ 粘着テープ配置具
３０５ 押し付け具
３０６ 第３カッター
３０７ 移動具
【図１】
0004834522.tif 000002
【図２】
0004834522.tif 000003
【図３】
0004834522.tif 000004
【図４】
0004834522.tif 000005
【図５】
0004834522.tif 000006
【図６】
0004834522.tif 000007
【図７】
0004834522.tif 000008
【図８】
0004834522.tif 000009
【図９】
0004834522.tif 000010
【図１０】
0004834522.tif 000011
【図１１】
0004834522.tif 000012
【図１２】
0004834522.tif 000013
【図１３】
0004834522.tif 000014
【図１４】
0004834522.tif 000015